(57)【特許請求の範囲】
【請求項１】
ディスプレイ・ハウジング部材および前記ディスプレイ・ハウジング部材に蝶着されたタッチパッド・ハウジング部材を有する選択的無線呼出機ハウジングと、
グラフィカル・ユーザ・インタフェースのポインタを表示するためのディスプレイであって、前記ディスプレイ・ハウジング部材に固定され、第１座標系を有するディスプレイと、
前記タッチパッド・ハウジング部材に固定され、第１座標系および第２座標系のうちの１つを有するタッチパッドと、
前記ディスプレイ・ハウジング部材に対する前記タッチパッド・ハウジング部材の機械的位置に基づいて決定される、前記第１座標系および前記第２座標系のうちの１つを使用して、前記タッチパッド上の接触運動に対応して前記ディスプレイ上のポインタの運動を選択的に制御するために、前記ディスプレイおよび前記タッチパッドに電気的に接続された制御器と
を備え、
前記制御器は、前記第１座標系を使用して、タッチパッドの軸に沿ったタッチパッド上の接触運動の成分が、ディスプレイの対応する軸に沿って同一方向に異なる所定量のディスプレイ上のポインタの運動の成分を生じるように、かつ、前記第２座標系を使用して、タッチパッドの軸に沿ったタッチパッド上の接触運動の成分が、ディスプレイの対応する軸に沿って逆方向に同一所定量のディスプレイ上のポインタの運動の成分を生じるように、ディスプレイ上のポインタの運動を選択的に制御する、選択的無線呼出機。
【請求項２】
前記制御器は、ディスプレイ・ハウジング部材に対するタッチパッド・ハウジング部材の機械的位置に基づいて決定される、相対位置決めシステムおよび絶対位置決めシステムのうちの１つを使用して、タッチパッド上の接触運動に対応するディスプレイ上のポインタの運動を選択的に制御する、請求項１に記載の選択的無線呼出機。
【請求項３】
スイッチがディスプレイ・ハウジング部材に対するタッチパッド・ハウジング部材の機械的位置次第でタッチパッド・ハウジング部材によって起動されるように、前記制御器に電気的に接続され、前記ディスプレイ・ハウジング部材の表面に装着された前記スイッチを含む、請求項１に記載の選択的無線呼出機。
【請求項４】
前記制御器が、前記スイッチの作動に応答してポインタの運動を選択的に制御する、請求項３に記載の選択的無線呼出機。
【請求項５】
その表面に装着されたディスプレイを有し、かつグラフィカル・ユーザ・インタフェースのポインタを表示するディスプレイ・ハウジング部材と、
その表面に装着されたタッチパッドを有するタッチパッド・ハウジング部材であって、前記タッチパッド・ハウジング部材が前記ディスプレイ・ハウジング部材に蝶着され、タッチパッド・ハウジング部材が閉位置のときにタッチパッドおよびディスプレイが選択的無線呼出機ハウジングの対向する外側にくるように、かつタッチパッド・ハウジング部材が開位置のときにタッチパッドおよびディスプレイが選択的無線呼出機ハウジングの同じ側にくるように、前記タッチパッド・ハウジング部材が前記ディスプレイ・ハウジング部材に対して開位置から閉位置に可動である、前記タッチパッド・ハウジング部材と、
前記ディスプレイ及び前記タッチパッドに電気的に接続された制御器であって、前記タッチパッド・ハウジング部材が開位置のときに、タッチパッドの軸に沿ったタッチパッド上の接触運動の成分が、ディスプレイの対応する軸に沿って同一方向に異なる所定量のディスプレイ上のポインタの運動の成分を生じるように、かつ、前記タッチパッド・ハウジング部材が閉位置のときに、タッチパッドの軸に沿ったタッチパッド上の接触運動の成分が、ディスプレイの対応する軸に沿って逆方向に同一所定量のディスプレイ上のポインタの運動の成分を生じるように、ディスプレイ上のポインタの運動を選択的に制御する、制御器と
を備える選択的無線呼出機。
【請求項６】
前記タッチパッド・ハウジング部材が閉位置のときに、前記タッチパッドが前記ディスプレイに対置する、請求項５に記載の選択的無線呼出機。
【請求項７】
スイッチを含み、前記ディスプレイ・ハウジング部材が第１表面および第２表面を有し、前記第２表面が前記第１表面の反対側にあり、前記ディスプレイは前記ディスプレイ・ハウジング部材の前記第１表面に装着され、前記スイッチは、前記タッチパッド・ハウジング部材が閉位置のときに前記スイッチが起動されるように、前記ディスプレイ・ハウジング部材の前記第２表面に装着される、請求項５に記載の選択的無線呼出機。
【請求項８】
スイッチを含み、前記タッチパッド・ハウジング部材が第１表面および第２表面を有し、前記第２表面が前記第１表面の反対側であり、前記タッチパッドは前記タッチパッド・ハウジング部材の前記第１表面に装着され、前記スイッチは、前記ディスプレイ・ハウジング部材が閉位置のときに前記スイッチが起動されるように、前記タッチパッド・ハウジング部材の前記第２表面に装着される、請求項５に記載の選択的無線呼出機。
【請求項９】
前記ディスプレイ・ハウジング部材が第１表面および第２表面を有し、前記第２表面が前記第１表面の反対側であり、前記ディスプレイが前記ディスプレイ・ハウジング部材の前記第１表面に装着され、前記スイッチが前記ディスプレイ・ハウジング部材の前記第２表面によって起動される、請求項８に記載の選択的無線呼出機。
【発明の詳細な説明】
（産業上の利用分野）
本発明は、一般的に選択的無線呼出機（selective call radio）に関し、さらに詳しくは、タッチパッドを有する選択的無線呼出機に関する。
（従来の技術）
携帯用コンピュータのタッチパッドはよく知られている。例えば、１９９５年１１月２１日にクラークらに発行されたＡｐｐａｒａｔｕｓ  ａｎｄ  Ｍｅｔｈｏｄ  ｆｏｒ  Ｐｒｏｖｉｄｉｎｇ  Ｄｉｆｆｅｒｅｎｔ  Ｉｎｐｕｔ  Ｄｅｖｉｃｅ  Ｏｒｉｅｎｔａｔｉｏｎ  ｏｆ  ａ  Ｃｏｍｐｕｔｅｒ  Ｓｙｓｔｅｍと称する米国特許第５，４６９，１９４号を参照されたい。携帯用コンピュータのタッチパッドは、携帯用コンピュータ・ハウジングのディスプレイが装着されるのと同じ側に装着されるので、動作中にディスプレイおよびタッチパッドの両方が使用者に見える。さらに、携帯用コンピュータのタッチパッドは、タッチパッド上の任意の方向の運動がディスプレイ上の同一方向の運動に対応するようにディスプレイに結合され、タッチパッド上の運動およびディスプレイ上の運動に関しては相対位置決めが行われる。
【０００１】
対置タッチパッド付き選択的無線呼出機は知られている。例えば、１９９８年３月１７日にアームストロングらに発行されたＳｅｌｅｃｔｉｖｅ  Ｃａｌｌ  Ｒａｄｉｏ  ｗｉｔｈ  Ｃｏｎｔｒａｐｏｓｅｄ  Ｔｏｕｃｈｐａｄと称する米国特許第５，７２９，２１９号を参照されたい。対置タッチパッド付き選択的無線呼出機では、タッチパッドおよびディスプレイは、両方が使用者に同時には見えないように装着される。一般的に、動作中、ディスプレイが見え、タッチパッドは見ることができず、単に感じるだけである。さらに、対置タッチパッド付き選択的無線呼出機は、タッチパッド上の一方向に沿った運動がディスプレイ上では反対方向の運動に対応するようにディスプレイに結合され、タッチパッド上の運動およびディスプレイ上の運動に関しては絶対位置決めが行われる。
【０００２】
単一タッチパッドは、単にタッチパッドを配置し直すことによって、ディスプレイと同じ側に装着されたタッチパッドとして、およびディスプレイとは反対側に装着されたタッチパッドとして、交替で機能することはできない。座標系および位置決め要素（positioning factor）をも変更する必要があるからである。
【０００３】
したがって必要なものは、蝶着タッチパッドの位置次第で、携帯用コンピュータ用のタッチパッドのようにも、対置タッチパッド付き選択的無線呼出機用のタッチパッドのようにも、どちらにも機能できるディスプレイおよび蝶着タッチパッドを有する選択的無線呼出機である。
（好適な実施例の説明）
図１は、選択的無線呼出機ハウジング１２を備えた選択的無線呼出機１０の斜視図である。選択的無線呼出機ハウジング１２は、ディスプレイ・ハウジング部材１９およびタッチパッド・ハウジング部材２９、ならびに蝶番３１を有する。タッチパッド・ハウジング部材２９は、ディスプレイ・ハウジング部材１９に蝶着される。しかし、蝶番３１の詳細は本発明の範囲内には入らない。ディスプレイ・ハウジング部材１９およびタッチパッド・ハウジング部材２９は、成形ポリカーボネート・プラスチック材料で作成することが好ましい。
【０００４】
例えば携帯用の電池式一方向ページャまたは双方向ページャなどの選択的無線呼出機１０は、アンテナを介して無線周波数信号を受信するように作動する。選択的無線呼出機１０は、従来の技術を使用して埋め込まれた情報を復元する復調器に受信した信号を結合する受信器を含む。復元された情報は、復元された情報を解釈し復号する制御器に結合される。制御器は一般的に、ハードウェアおよびソフトウェアの両方で実現される信号プロセッサ（デコーダ）を有するマイクロプロセッサを備えている。当業界でよく知られているやり方で、復元された情報は、復元されたアドレスを選択的無線呼出機の読出し専用メモリ（ＲＯＭ）など選択的無線呼出機の不揮発性メモリに格納された所定のアドレスと相関させる、信号プロセッサを実現するデコーダによって検査される。ＲＯＭは一般的に、選択的無線呼出機の動作を特徴付ける複数の設定語（configuration word）を格納するための複数のレジスタを有する。選択的無線呼出機は、選択的無線呼出機に関連する所定のアドレスと受信したアドレスとの間の相関を実行することによって、メッセージを選択する。アドレスが相関されると、制御器はメッセージ情報をメッセージ・メモリに結合する。
【０００５】
選択的無線呼出機１０は、ディスプレイ・ハウジング部材１９の第１表面に装着されたディスプレイ１８と、タッチパッド・ハウジング部材２９の第１表面に装着されたタッチパッド２２とを含む。復元された情報および使用者制御に関係する設定に応じて、選択的無線呼出機は、メッセージ情報を提示するディスプレイ１８上に提示することができる画像を生成するための手段と、メッセージが受信されたことを可聴または触知可能な警報により使用者に知らせるための手段とを含む。ディスプレイ１８は、８分の１標準ビデオ・グラフィックス・アレイ（ＶＧＡ）解像度の液晶ディスプレイ（ＬＣＤ）画面で構成することが好ましい。不揮発性メモリに格納され、マイクロプロセッサによって実行されるソフトウェアは、ディスプレイ１８にグラフィカル・ユーザ・インタフェース２０（ＧＵＩ）を生成する。選択的無線呼出機の動作は当業者にはよく知られているが、ディスプレイ付き選択的無線呼出機の動作は、レイザーによって１９９５年６月５日に出願され現在は放棄されたＣｏｍｂｉｎａｔｉｏｎ  Ｉｎｆｏｒｍａｔｉｏｎ  Ｄｉｓｐｌａｙ  ａｎｄ  Ｐｒｏｘｉｍｉｔｙ  Ｓｅｎｓｉｎｇ  Ａｐｐａｒａｔｕｓと称する米国特許出願第０８／４６１，６１０号、１９９３年１月２６日にクンに発行されたＣｏｍｍｕｎｉｃａｔｉｏｎ  Ｒｅｃｅｉｖｅｒ  Ｐｒｏｖｉｄｉｎｇ  Ｄｉｓｐｌａｙｅｄ  Ｏｐｅｒａｔｉｎｇ  Ｉｎｓｔｒｕｃｔｉｏｎｓと称する米国特許第５，１８２，５５３号、１９９５年１月３日にノーランらに発行されたＵｓｅｒ  Ｆｒｉｅｎｄｌｙ  Ｃｈａｎｎｅｌ  Ｓｅｌｅｃｔｉｏｎ  ｉｎ  ａ  Ｓｅｌｅｃｔｉｖｅ  Ｃａｌｌ  Ｒｅｃｅｉｖｅｒ  ａｎｄ  Ｍｅｔｈｏｄ  Ｔｈｅｒｅｆｏｒと称する米国特許第５，３７９，０３０号、および１９９８年３月１７日にアームストロングらに発行されたＳｅｌｅｃｔｉｖｅ  Ｃａｌｌ  Ｒａｄｉｏ  ｗｉｔｈ  Ｃｏｎｔｒａｐｏｓｅｄ  Ｔｏｕｃｈｐａｄと称する米国特許第５，７２９，２１９号により詳細に記載されており、これらは全て本発明の譲受人に譲渡されており、各々をここに参照によって完全に本書に組み込む。
【０００６】
図２は、ポインタがディスプレイの左側の「メッセージ」タイトルに配置された状態の例示的メニュー・タイトル・バー２４を示す。選択的無線呼出機は、タッチパッド２２と共に使用するために使用者がアクセスできる、ディスプレイ・ハウジング部材１９上のボタン５４を含む。ボタン５４は、ポインタ２６が配置されている語またはアイコンによって象徴される動作を始動させるために用いられる。代替的に、ボタン５４はまた「オン」スイッチとしても作動し、予め選択された無活動期間後に、選択的無線呼出機１０は自動的に電源を切る。
【０００７】
選択的無線呼出機１０は、スイッチ３３を含む（図３）。スイッチ３３、タッチパッド２２、およびディスプレイ１８は、制御器（図示せず）に電気的に結合される。制御器は、スタイラス６３（図１）または使用者の指（図２）で接触するタッチパッド上の点とディスプレイ上の対応する点とのマッピングを生成する。タッチパッド・ハウジング部材２９が図１に示す開位置にあるときには、制御器は従来のマッピングを生成する。従来のマッピングでは、タッチパッド２２における下端から上端への、すなわち縁２１から縁２５への接触運動は、ディスプレイ１８における下端から上端への、すなわち縁１５から縁１１へのＧＵＩポインタの運動を生じる。しかし、タッチパッド・ハウジング部材２９が図２に示す閉位置にあるときには、制御器は鏡像マッピングを生成する。鏡像マッピングでは、上述の下端から上端への、すなわち縁２１から縁２５への方向と同じ方向のタッチパッド２２上の運動は、ディスプレイ１８上で上端から下端への、すなわち縁１１から縁１５へのＧＵＩポインタの運動を生じる。タッチパッド２２上の点のマッピングのこの有利な変更は、マイクロプロセッサによって実行され、スイッチ３３（図３）の起動によって始動されるソフトウェアを使用することにより達成されることが好ましい。代替的に、タッチパッド上の点のマッピングの変更は、タッチパッドとディスプレイとの間の連結のハードワイヤの変更を用いることによって達成される。
【０００８】
図３は、図１に示す開位置と図２に示す閉位置との間の中間位置にあるタッチパッド・ハウジング部材２９を示す、図１の選択的無線呼出機ハウジング１２の反対側の斜視図である。ディスプレイ・ハウジング部材１９は、第１表面５６の反対側の第２表面６６を有する。タッチパッド・ハウジング部材２９は、第１表面５８とは反対側の第２表面６８を有する。図４は、領域「Ａ」の詳細を示す、図３に示した選択的無線呼出機の一部分の拡大図である。スイッチ３３は、プランジャ６４が開口６５内をディスプレイ・ハウジング部材の第２表面６６まで伸長する状態で、ディスプレイ・ハウジング部材１９内に装着することが好ましい。好適な実施形態の変形では、スイッチ３３はディスプレイ・ハウジング部材１９の第２表面６６に装着する。選択的無線呼出機ハウジング１２が図２に示す閉位置にあるときに、プランジャ６４は、タッチパッド・ハウジング部材によって、好ましくはタッチパッド・ハウジング部材２９の第２表面６８上のバンプ（bump）６７によって移動する。代替的に、スイッチ３３はタッチパッド・ハウジング部材２９の第２表面６８に装着され、選択的無線呼出機ハウジング１２が閉位置にあるときに、スイッチ３３はディスプレイ・ハウジング部材１９の第２表面によって起動される。
【０００９】
タッチパッド・ハウジング部材２９を図１に示す位置まで回転すると、ディスプレイ１８およびタッチパッド２２の両方が選択的無線呼出機１０の同じ側にあり、ディスプレイ１８およびタッチパッド２２の両方が使用者に同時に見える。他方、タッチパッド・ハウジング部材２９を図２に示す位置まで回転すると、タッチパッドはディスプレイ１８と対置するようになり、使用者がディスプレイを見ている同じ瞬間に、タッチパッドは使用者には見えない。対置したタッチパッド２２（図２）を使用するときには、実質的に矩形のタッチパッドの横軸に沿った座標の成分は、実質的に矩形のディスプレイの横軸に沿った座標の成分に対して逆転する。これは、選択的無線呼出機ハウジング１２のディスプレイ１８と同じ側にあるタッチパッド２２（図１）を使用するときの逆転しない座標と対照的である。その結果、タッチパッド上のその横軸に沿った、すなわち縁２１から縁２５までの接触運動の成分は、ディスプレイの対応する軸すなわち横軸に沿った、ただし逆方向の、すなわち縁１１から縁１５までのディスプレイ上のポインタの運動の成分を生じる。
【００１０】
制御器は、相対位置決めシステムおよび絶対位置決めシステムの１つを使用して、タッチパッド２２上の接触運動に対応するディスプレイ１８上のポインタ２６の運動を選択的に制御する。絶対位置決めシステムの場合、タッチパッド２２上の任意の方向の任意の量の指４２またはスタイラス６３の運動は、ディスプレイ１８上で対応する方向に同一所定量のポインタ２６の運動を生じる。相対的位置決めシステムの場合、タッチパッド２２上の任意の方向の任意の量の指４２またはスタイラス６３の運動は、ディスプレイ１８上で対応する方向に異なる量のポインタ２６の運動を生じる。図１に示す相対位置決めの例では、ディスプレイ上の「ｈ」は、タッチパッド上の「ｈ」より小さい。したがって、この例では、異なる量とはより小さい量である。本発明によると、所定の量は、より大きい量またはより小さい量とすることができる。「ｈ」が図１のタッチパッド２２上で見えるのは、解説のためであることに留意されたい。スタイラスによって行われる「ｈ」などのタッチパッド上の接触運動は、タッチパッド上では目に見えないことが好ましい。代替的に、そのような接触運動をタッチパッド上で見ることができるようにしたタッチパッドを使用することもできる。本発明では、利用される位置決めシステムは、ディスプレイ・ハウジング部材１９に対するタッチパッド・ハウジング部材２９の機械的位置に基づく。
【００１１】
図５は、本発明に従って選択的無線呼出機の制御器によって実行されるステップの流れ図である。制御器は、図５に示したサブルーチンのステップを実行するために、ＲＯＭに格納されたソフトウェアによってプログラムされるマイクロプロセッサを含む。ステップ７１で、タッチパッドおよびディスプレイを制御する主プログラム・ループから呼出しが行われる。ステップ７２で、割込みの発生時にスイッチ３３の位置が読み出されるか、またはサブルーチンをポーリングすることができる。ステップ７３で、前回の割込み以降にスイッチの位置が変更されていない場合、サブルーチンが実行され（ステップ７９）、主プログラムが続行される。前回の割込み以降にスイッチの位置が変更されている場合、サブルーチンはステップ７４に続く。ステップ７４で、スイッチが閉じている（選択的無線呼出機ハウジングが閉位置にあり、タッチパッドがディスプレイと対置していることを示す）場合には、サブルーチンはステップ７５に進む。ステップ７５では、選択的無線呼出機のディスプレイとタッチパッドを相互接続するための手段が絶対位置決めに設定され、サブルーチンはステップ７６に進む。ステップ７６では、ディスプレイの上端すなわち縁１１が、タッチパッドの蝶番から最も遠い縁すなわち縁２１に対応するように、タッチパッドの第１座標系が選択され、次いでサブルーチンはステップ７９で終了する。一方、ステップ７４でスイッチが開いている（選択的無線呼出機ハウジングが開位置にあり、タッチパッドが選択的無線呼出機ハウジングのディスプレイと同じ側にあることを示す）場合には、サブルーチンはステップ７７に進む。ステップ７７で、選択的無線呼出機のディスプレイとタッチパッドを相互接続するための手段が相対位置決めに設定され、サブルーチンはステップ７８に進む。ステップ７８では、ディスプレイの上端すなわち縁１１が、タッチパッドの蝶番に最も近い縁すなわち縁２５に対応するように、タッチパッドの第２座標系が選択され、次いでサブルーチンはステップ７９で終了する。本発明による選択的無線呼出機は、選択的無線呼出機ハウジング１２が開位置のときには相対位置決めシステムを使用し、選択的無線呼出機ハウジング１２が閉位置のときには絶対位置決めシステムを使用することが好ましいが、逆も考えられる。選択的無線呼出機は、タッチパッドの座標系がディスプレイの座標系と同一である場合には相対位置決めシステムを使用し、選択的無線呼出機は、タッチパッドの座標系がディスプレイの座標系と異なる座標系である場合には絶対位置決めシステムを使用することが好ましいが、ディスプレイおよびタッチパッドの座標系および位置決めシステムを任意に混合することも考えられる。
【００１２】
再び図１および図２を参照すると、使用者は、タッチパッド２２の使用を通して、ディスプレイ１８上のメッセージを選択的に表示することを含め、ＧＵＩ内で操縦することができる。ＧＵＩでポインタを制御するためのタッチパッド２２の操作はよく知られており、タッチパッドの操作の説明は、１９７８年１２月１２日にペッパーに発行されたＨｕｍａｎ−Ｍａｃｈｉｎｅ  Ｉｎｔｅｒｆａｃｅ  Ａｐｐａｒａｔｕｓと称する米国特許第４，１２９，７４７号、および１９８１年１１月２４日にペッパーに発行されたＶｉｄｅｏ  Ｇａｍｅ  Ａｐｐａｒａｔｕｓ  ａｎｄ  Ｍｅｔｈｏｄと称する米国特許第４，３０２，０１１号に記載されており、これらをここに参照によって完全に本書に組み込む。
【００１３】
要約すると、蝶番３１によって接続された２つの部材から成る選択的無線呼出機ハウジング１２について説明した。さらに、蝶着タッチパッドの位置次第で、携帯用コンピュータ用のタッチパッドのようにも、また対置タッチパッド付き選択的無線呼出機用のタッチパッドのようにも、有利に機能するタッチパッド２２を備えた選択的無線呼出機ハウジング１２について説明した。また、スイッチ３３の作動によってタッチパッド２２上の点のマッピングを自動的に変更するようにプログラムされた制御器を有し、かつ使用者の側の余分な動作無しでスイッチが蝶着タッチパッドの位置次第で作動する、選択的無線呼出機１０についても説明した。制御器は、選択的無線呼出機ハウジング１２が開いているか閉じているかによって、相対位置決めシステムまたは絶対位置決めシステムのいずれかについても選択しながら、タッチパッド２２の座標系を同時に変更することが有利である。
【００１４】
本発明の好適な実施形態の詳細な説明をしたが、本発明は、請求の範囲に記載する本発明の範囲から逸脱することなく、多数の実施形態で実現することができ、開示した実施形態はそのうちの単なる１つの代替例にすぎないことを理解されたい。例えば、タッチパッド２２は１つの座標系だけを持つことができ、一方、ディスプレイ１８は２つの座標系を持つことができる。さらに、選択的無線呼出機１０は、１つの相対位置決めシステムだけに限定されない。好適な実施形態は、選択的無線呼出機ハウジング１２が閉位置のときに、実質的に対置するディスプレイ１８およびタッチパッド２２を示しているが、ディスプレイおよびタッチパッドは実質的に対置する必要はなく、単に閉じた選択的無線呼出機ハウジングの対向する外側にあればよい。また、好適な実施形態は、ディスプレイ１８およびタッチパッド２２の長手軸に平行な蝶番を示すが、蝶番は代替的に横軸に平行であってもよく、その場合、鏡像マッピングはディスプレイおよびタッチパッドの長手軸に沿って行われる。
【図面の簡単な説明】
【図１】  本発明の好適な実施形態による、開位置のタッチパッド・ハウジング部材を示す選択的無線呼出機の斜視図である。
【図２】  閉位置のタッチパッド・ハウジング部材を示す、図１の選択的無線呼出機の斜視図である。
【図３】  中間位置のタッチパッド・ハウジング部材を示す、図１の選択的無線呼出機の反対側の斜視図である。
【図４】  指定領域の詳細を示す、図３に示した選択的無線呼出機の一部分の拡大図である。
【図５】  本発明による選択的無線呼出機の制御器によって実行されるステップの流れ図である。
【図１】
0004430232.tif 000002
【図２】
0004430232.tif 000003
【図３】
0004430232.tif 000004
【図４】
0004430232.tif 000005
【図５】
0004430232.tif 000006